(57)【要約】【課題】水平コーディングＭＩＭＯ通信システムで使用するＨＡＲＱ法の改良と、それを使用するＭＩＭＯ通信システムとを提供することである。【解決手段】ＭＩＭＯ−ＨＡＲＱ通信システム及び通信方法に関する。受信器は、受信データストリームにＣＲＣを実行し、データストリーム中にエラーを検出すると、送信器にフィードバックして、そのデータストリームの再送信を要求する。送信器は、前記エラーを検出したデータストリームを送信した送信アンテナ以外の送信アンテナで前記エラーを検出したデータストリームを再送信するため、送信するデータストリームと前記複数の送信アンテナとの間の対応を決定する。【選択図】図４
2009219116.tif 000002
【特許請求の範囲】
【請求項１】
複数の送信アンテナを有する送信器と、受信器とを有するＭＩＭＯ−ＨＡＲＱ通信システムであって、前記送信器は、同一データソースからのソースデータブロックをシリアル／パラレル変換により逆多重して求めた複数のデータストリームを符号化及び変調した後、または異なるデータソースからの複数のデータストリームを符号化及び変調した後、符号化及び変調された前記複数のデータストリームを前記複数の送信アンテナを介して並行して送信し、前記受信器は、前記データストリームをそれぞれ受信、復調、及び復号した後、ＣＲＣチェックを行い、前記データストリームにエラーを検出した場合、前記送信器にフィードバックして、エラーを検出したデータストリームの再送を要求するシステムであって、
前記送信器は、前記エラーを検出したデータストリームを送信した送信アンテナ以外の送信アンテナで前記エラーを検出したデータストリームを再送信するため、送信するデータストリームと前記複数の送信アンテナとの間の対応を決定する再送信シーケンス決定部を有することを特徴とするシステム。
【請求項２】
前記送信器は、前記受信器がデータを正しいシーケンスで再生できるように、前記再送信シーケンス決定部が決定した再送シーケンスを前記受信器に通知する再送信シーケンス通知部をさらに有することを特徴とする、請求項１に記載のＭＩＭＯ−ＨＡＲＱ通信システム。
【請求項３】
前記再送信シーケンス決定部は、前記送信器と前記受信器が共に知っている方法で新しい送信シーケンスを決定し、送信シーケンスを変更したとき、前記受信器にシンボルを送信して、送信シーケンスを変更したことを通知することを特徴とする、請求項２に記載のＭＩＭＯ−ＨＡＲＱ通信システム。
【請求項４】
前記送信器は、前記複数のデータストリームに相異なる符号化及び変調方式を適用することを特徴とする、請求項１に記載のＭＩＭＯ−ＨＡＲＱ通信システム。
【請求項５】
前記データストリームと前記送信アンテナとの間の対応を変更するとき、各データストリームのその時の送信アンテナに対応するため、データストリームの符号化及び変調方式、データブロックサイズ、及びプリコーディングベクトルまたは行列を変更することを特徴とする、請求項４に記載のＭＩＭＯ−ＨＡＲＱ通信システム。
【請求項６】
前記再送信シーケンス決定部は、送信するデータストリームと前記複数の送信アンテナとの間の対応を巡回法で決定することを特徴とする、請求項１に記載のＭＩＭＯ−ＨＡＲＱ通信システム。
【請求項７】
前記ＭＩＭＯ−ＨＡＲＱ通信システムをＯＦＤＭ送信モードまたはシングルキャリア送信モードと組み合わせることを特徴とする、請求項１に記載のＭＩＭＯ−ＨＡＲＱ通信システム。
【請求項８】
前記受信器は、各データストリームのプリコーディングを命令するために、前記受信器にプリコーディングベクトル、行列インデックス、または数量化チャネル情報をフィードバックすることを特徴とする、請求項１に記載のＭＩＭＯ−ＨＡＲＱ通信システム。
【請求項９】
複数の送信アンテナを有する送信器と、受信器とを有するＭＩＭＯ−ＨＡＲＱ通信システムにおける再送信シーケンスの決定方法であって、前記送信器は、同一データソースからのソースデータブロックをシリアル／パラレル変換により逆多重して求めた複数のデータストリームを符号化及び変調した後、または異なるデータソースからの複数のデータストリームを符号化及び変調した後、符号化及び変調された前記複数のデータストリームを前記複数の送信アンテナを介して並行して送信し、前記受信器は、前記データストリームをそれぞれ受信、復調、及び復号した後、ＣＲＣチェックを行い、前記データストリームにエラーを検出した場合、前記送信器にフィードバックして、エラーを検出したデータストリームの再送を要求する方法であって、
前記エラーを検出したデータストリームを送信した送信アンテナ以外の送信アンテナで前記エラーを検出したデータストリームを再送信するため、送信するデータストリームと前記複数の送信アンテナとの間の対応を決定する段階を含むことを特徴とする方法。
【請求項１０】
前記受信器がデータを正しいシーケンスで復元できるように、決定した再送信シーケンスを前記受信器に通知する段階をさらに含むことを特徴とする、請求項９に記載の方法。
【請求項１１】
前記送信器と前記受信器が共に知っている方法で新しい送信シーケンスを決定し、送信シーケンスを変更する場合、前記受信器にシンボルを送信して、送信シーケンスを変更することを通知することを特徴とする、請求項９に記載の方法。
【請求項１２】
前記送信器において、前記複数のデータストリームに相異なる符号化及び変調方式を適用することを特徴とする、請求項９に記載の方法。
【請求項１３】
前記データストリームと前記送信アンテナとの間の対応を変更するとき、各データストリームのその時の送信アンテナに対応するため、データストリームの符号化及び変調方式、データブロックサイズ、及びプリコーディングベクトルまたは行列を変更することを特徴とする、請求項１２に記載の方法。
【請求項１４】
送信するデータストリームと前記複数の送信アンテナとの間の対応を巡回法で決定することを特徴とする、請求項９に記載の方法。
【発明の詳細な説明】
【技術分野】
【０００１】
本発明は、ＭＩＭＯ（Multiple-Input  Multiple-Output）通信システムにおけるＨＡＲＱ（Hybrid  Automatic  Repeat  Request）に関し、より具体的には、（複数のアンテナに送信されるデータが同一ユーザーからのものであるシングルユーザＭＩＭＯと、複数のアンテナに送信されるデータが相異なるユーザーからのものであるマルチユーザーＭＩＭＯを含む）ＭＩＭＯ通信システムで使用するＨＡＲＱに関する。
【背景技術】
【０００２】
ＭＩＭＯ通信方式は、３ＧＰＰ  ＬＴＥ、ＩＥＥＥ８０２．１６Ｅ［１］など多くの産業標準の一部となっている。ＭＩＭＯによりスペクトル効率を大幅に改善することができる。これは、周波数リソースや時間リソースをそれ以上占有することなくデータレートを高くするために、送信側で複数のデータストリームを空間多重し、受信側でこれらのストリームを逆多重（de-multiplexing）することによる。一般的には、フォワードエラーコレクション（ＦＥＣ）をＭＩＭＯと組み合わせて、無線環境が悪くても送信品質を改善することができる。ＦＥＣとＭＩＭＯを組み合わせる方式には２つの組み合わせ方法がある。１つは垂直コーディングＭＩＭＯであり、まずデータストリームのＦＥＣと変調を行い、次にシリアル・パラレル変換を行い、ストリームを複数のサブストリームに分割し、複数のアンテナに送信する。もう１つは水平コーディングＭＩＭＯであり、まずデータストリームのシリアル・パラレル変換を行い、次に各サブストリームのＦＥＣと変調を行い、各サブストリームをそれぞれのアンテナに送信する。ＨＡＲＱを組み合わせる場合、垂直コーディングＭＩＭＯの場合にはＣＲＣ（Cyclic  Redundant  Check）を行ってからＦＥＣを行い、一方、水平コーディングＭＩＭＯの場合にはシリアル・パラレル変換の後にＣＲＣを行う。図１に示したように、水平コーディング方式は垂直コーディング方式より魅力的である。水平コーディング方式では、各データストリームが独立なＦＥＣ・変調モジュールを有し、この場合、各データストリームのデータレートを対応するチャネル状態に合わせることができる。その他、各データストリームに独立にＣＲＣを設定することができ、受信側でＣＲＣエラーを検出すると、対応するデータストリームだけを再送要求し、他のデータストリームは再送要求しない。
【０００３】
図１は、２つのアンテナを有する２送信器水平コーディングＭＩＭＯ通信システムを示す。詳細は以下の通りである。
【０００４】
シングルユーザＭＩＭＯシステムでは、送信器において、ソースデータブロック入力部が入力したソースデータブロックをシリアル・パラレル変換部が２つのデータストリームに逆多重（demultiplex）する。マルチユーザーＭＩＭＯシステムでは、２つのユーザーから来るデータストリームが次のモジュールに直接入り、データストリームのＦＥＣと変調を２つのＦＥＣ・変調モジュールによりそれぞれ行い、最後に符号化及び変調したデータストリームを２つの送信アンテナでそれぞれ送信する。
【０００５】
シングルユーザＭＩＭＯシステムでは、受信器は少なくとも２つの受信アンテナを有し、すなわち、送信機が送信した２つのデータストリームは、最小平均２乗誤差（minimum  mean  square  error,  ＭＭＳＥ）やゼロフォーシング（zero  forcing,  ＺＦ）等の線形検出法や、最大尤度検出（maximum  likelihood  detection,  ＭＬＤ）等の非線形検出法により受信器で検出できるものと仮定する。詳細には、受信器のＭＩＭＯ検出部が受信アンテナが受信したデータストリームを検出する。その後、各ブランチの復調・復号部が検出したデータストリームを復調及び復号する。復調及び復号されたデータストリームはパラレル・シリアル変換部に入力される。パラレル・シリアル変換部では、２つのデータストリームの復号出力が正しいか判断する（３ＧＰＰやＩＥＥＥ８０２．１６Ｅなど多くのシステムではＣＲＣが使われる）。復号出力（例えば、ＣＲＣ）が正しければ、２つの復号データストリームは多重化され、元のソースデータブロックが復元される。同様に、マルチユーザーＭＩＭＯシステムでは、ユーザー側の各受信器は、様々なＭＩＭＯ検出アルゴリズムによりそれぞれのユーザーに属するデータストリームを検出する。
【０００６】
無線マルチパスチャネルでの送信の便宜上、直交周波数分割多重（ＯＦＤＭ）の技術が使われる。この場合にも、ＭＩＭＯ技術を適用できる。図２は、ＯＦＤＭ構成を有する２送信機の水平コーディングＭＩＭＯ通信システムを示している。
【０００７】
図１と比較して、図２には、送信器に、ＩＦＦＴ・ＣＰ付加部が設けられ、マルチパスフェージング効果を無くすために、ＦＥＣ・変調部が処理したデータストリームに高速逆フーリエ変換を行い、サイクリックプレフィックス（cyclic  prefixes,ＣＰ）を付加する。次に、高速逆フーリエ変換を行いＣＰ付加を行ったデータストリームを、対応する送信アンテナにより送信する。さらに、図１と比較して、図２には、受信器にＦＦＴ・ＣＰ除去部が設けられ、各受信アンテナが受信した信号のフーリエ変換を行い、ＣＰを除去する。他の構成要素及び対応する処理は、図１に示したシングルキャリアの場合の構成要素と同じであり、ここでは詳しく説明しない。
【０００８】
パケット送信システムでは、送信側がデータストリームを送信してから、受信側が正しい受信をしたことを通知するのを待つ。受信側は、受信が正しく行われればＡＣＫ（acknowledgement）を送信するか、または何も送信しない。送信側は、ＡＣＫを受信するか何も受信しなければ、次のデータパケットを送信する。受信側は、受信が正しく行われなければＮＡＣＫ（non-acknowledgement）を送信する。送信側は、ＮＡＣＫを受信すると、データパケットを再送信する。受信が正しく行われたかどうかは、データパケットの終わりにあるＣＲＣに基づき受信側が判断する。ＭＩＭＯシステムにおけるこの再送要求メカニズムの利用態様を図３に示した。水平コーディングＭＩＭＯの方が垂直コーディングＭＩＭＯよりもよいことを考慮して、２送信機水平コーディングＭＩＭＯ通信システムの従来のＨＡＲＱメカニズムにおける受信処理をだけをここでは説明する。
【０００９】
送信アンテナにより送信されたデータブロックは、受信器においてＣＲＣが正しいと分かると、バッファされて、他のデータブロックを待つ。データブロックにエラーが見つかると、ＡＣＫフィードバックにより、同じ送信アンテナによりそのデータブロックの再送を要求する。この場合、最初の送信とその後の再送信は同じ空間フェージングチャネルを経験し、再送のエラーレートはまだ高いかも知れない。特にフェージングがゆっくり変化する環境ではそうである。それゆえ、再送数をできるだけ減らすために、新しい再送方式が必要である。
【００１０】
参照文献２〜５では再送品質を改善する他の方式が検討されている。その一部は、再送信データストリームが２つの場合に対して、直交時空コーディング方式（orthogonal  space  time  coding  scheme）やその他の時空コーディング方式をデザインしている。しかし、これらの方式は、ＣＲＣにエラーが見つかると、１つのブロックだけにエラーが発生していてもデータストリームを両方とも再送する、垂直コーディングＭＩＭＯ通信システムにのみ適している。水平コーディングＭＩＭＯ通信システムの場合、再送品質を最適化する方法はまだない。
【先行技術文献】
【非特許文献】
【００１１】
【非特許文献１】Part  16:  Air  Interface  for  Fixed  Broadband  Wireless  Access  Systems,  IEEE  P802.16  (Draft  March  2007),  Revision  of  IEEE  Std  802.16-2004,  as  amended  by  IEEE  Std  802.16f-2005  and  IEEE  802.16e-2005
【非特許文献２】Gao  Yang,  Guangjie  Li,  Kuilin  Chen,  “A  Novel  HARQ  scheme  utilizing  the  iterative  soft-information  feedback  in  MIMO  system”,  VTC  2007-spring,  April,  2007,  P:  423-424
【非特許文献３】Gao  Yang,  Guangjie  Li,  Kuilin  Chen,  “Novel  MIMO  HARQ  schemes  Jointly  utilizing  chase  combining”,  ICCT  2006,  Nov.  2006,  P:  1-5
【非特許文献４】Mi-kyung  Oh,  Young-Hyeon  Kwon,  “Efficient  hybrid  ARQ  with  space-time  coding  and  low-complexity  decoding”,  ICASSP’  04,  May  2004,  P:  589-592
【非特許文献５】Onggosanusi  E.N,  Dabak  A.G,  Yan  Hui,  “Hybrid  ARQ  transmission  and  combining  for  MIMO  systems”,  ICC  2003,  May  2003,  P:  3205-3209
【発明の概要】
【発明が解決しようとする課題】
【００１２】
本発明は背景技術における上記の問題を考慮したものである。本発明の目的は、水平コーディングＭＩＭＯ通信システムで使用するＨＡＲＱ法の改良と、それを使用するＭＩＭＯ通信システムとを提供することである。受信器でエラーを検出したデータストリームを送信した送信アンテナ以外の送信アンテナを介してそのデータストリームを再送する方法により、送信するデータストリームと複数の送信アンテナとの間の対応を送信器で決定するものである。
【課題を解決するための手段】
【００１３】
第１の態様によると、複数の送信アンテナを有する送信器と、受信器とを有するＭＩＭＯ−ＨＡＲＱ通信システムは、シングルユーザＭＩＭＯの場合に、ユーザに関するソースデータブロックをシリアルパラレル変換により逆多重することにより求めた複数のデータストリームを符号化及び変調した後、またはマルチユーザＭＩＭＯの場合に、各ユーザに関するデータストリームを直接符号化及び変調した後に、符号化及び変調した前記複数のデータストリームを前記送信アンテナを介して並行して送信し、前記受信器は、前記データストリームをそれぞれ受信、復調、及び復号した後、ＣＲＣチェックを行い、前記データストリームにエラーを検出した場合、前記送信器にフィードバックして、エラーを検出したデータストリームの再送を要求するシステムであって、前記送信器は、前記エラーを検出したデータストリームを送信した送信アンテナ以外の送信アンテナで前記エラーを検出したデータストリームを再送信するように、送信するデータストリームと前記複数の送信アンテナとの間の対応を決定する再送信シーケンス決定部を有する。
【００１４】
好ましくは、上記のＭＩＭＯ−ＨＡＲＱ通信システムにおいて、前記送信器は、前記受信器がデータを正しいシーケンスで再生できるように、前記再送信シーケンス決定部が決定した再送シーケンスを前記受信器に通知する再送信シーケンス通知部をさらに有することを特徴とする。
【００１５】
好ましくは、上記のＭＩＭＯ−ＨＡＲＱ通信システムにおいて、前記再送信シーケンス決定部は、前記送信器と前記受信器が共に知っている方法で新しい送信シーケンスを決定し、送信シーケンスを変更したとき、前記受信器にシンボルを送信して、送信シーケンスを変更したことを通知する。
【００１６】
好ましくは、上記のＭＩＭＯ−ＨＡＲＱ通信システムにおいて、前記送信器は、前記複数のデータストリームに相異なる符号化及び変調方式を適用する。
【００１７】
好ましくは、上記のＭＩＭＯ−ＨＡＲＱ通信システムにおいて、前記再送信シーケンス決定部は、送信するデータストリームと前記複数の送信アンテナとの間の対応を巡回法で決定する。
【００１８】
好ましくは、上記のＭＩＭＯ−ＨＡＲＱ通信システムをＯＦＤＭ送信モードまたはシングルキャリア送信モードと組み合わせる。
【００１９】
好ましくは、上記のＭＩＭＯ−ＨＡＲＱ通信システムにおいて、前記受信器は、各データストリームのプリコーディングを命令するために、前記受信器にプリコーディングベクトル、行列インデックス、または数量化チャネル情報をさらにフィードバックする。
【００２０】
第２の態様によると、ＭＩＭＯ−ＨＡＲＱ通信システムにおける再送シーケンスの決定方法を提供する。前記ＭＩＭＯ−ＨＡＲＱ通信システムは、複数の送信アンテナを有する送信器と、受信器とを有し、シングルユーザＭＩＭＯの場合に、ユーザに関するソースデータブロックをシリアルパラレル変換により逆多重することにより求めた複数のデータストリームを符号化及び変調した後、またはマルチユーザＭＩＭＯの場合に、各ユーザに関するデータストリームを直接符号化及び変調した後に、符号化及び変調した前記複数のデータストリームを前記送信アンテナを介して並行して送信し、前記受信器は、前記データストリームをそれぞれ受信、復調、及び復号した後、ＣＲＣチェックを行い、前記データストリームにエラーを検出した場合、前記送信器にフィードバックして、エラーを検出したデータストリームの再送を要求するシステムである。該方法は、前記エラーを検出したデータストリームを送信した送信アンテナ以外の送信アンテナで前記エラーを検出したデータストリームを再送信するため、送信するデータストリームと前記複数の送信アンテナとの間の対応を決定する段階を含むことを特徴とする。
【００２１】
上記の技術的解決策により、受信器がエラーを検出したデータストリームを送信した送信アンテナ以外の送信アンテナでそのデータストリームを再送信するので、同一のデータストリームの送信と再送信の空間フェージングチャネルが異なる。結果として、再送信により時間ダイバーシティゲインが得られ、送信シーケンスを交換することにより追加的空間ダイバーシティゲインも得られ、送信の成功確率が大きくなる。
【図面の簡単な説明】
【００２２】
次の図面は本明細書の一部であり、実施形態を例示する説明文とともに利用される。
【図１】２つの送信アンテナを有する２送信器、水平コーディングＭＩＭＯ通信システムを示す概略図である。
【図２】ＯＦＤＭ構成を有する２送信器、水平コーディングＭＩＭＯ通信システムを示す概略図である。
【図３】２送信器、水平コーディングＭＩＭＯ通信システムの従来のＨＡＲＱメカニズムに関する受信処理を示す図である。
【図４】一実施形態のＭＩＭＯ−ＨＡＲＱ通信システムにおける送信器の構成を示す概略図である。
【発明を実施するための形態】
【００２３】
一実施形態のＭＩＭＯ−ＨＡＲＱ通信システムを図４を参照して以下に説明する。
【００２４】
背景技術欄で説明したように、水平コーディングＭＩＭＯ通信システムを、２つの送信アンテナと２つのデータストリームレイヤーを例にとって説明する。しかし、本実施形態はこの場合に限定されず、送信アンテナは２つ以上でもよく、データストリームレイヤーは２つ以上でもよく、垂直コーディングＭＩＭＯ通信システムに適用してもよい。
【００２５】
最初の送信において、ブロック１，０とブロック２，０が送信アンテナ１と送信アンテナ２によりそれぞれ送信される。ＣＲＣの際、受信器で受信データストリーム１にエラーが見つかると、次の送信スロットにおいて、送信アンテナ２でブロック１，０を再送信し、送信アンテナ１で新しく生成されたブロック２，１を送信する。ブロック１，０にまだエラーがあれば、第２の再送スロットにおいて、送信アンテナ１でブロック１，０を再送信する。同様に、データストリーム２にエラーがあれば、送信アンテナ１でそのデータストリーム２を再送する。
【００２６】
要約すると、受信器で受信データブロックにエラーが見つかると、エラーが見つかったデータブロックを再送するために、送信器の２つの送信アンテナで送信シーケンスを交換する。従って、受信器では、受信データストリームは送信器における送信シーケンスと同じシーケンスで結合される。
【００２７】
詳しく説明すると、先行技術の水平コーディングＭＩＭＯ通信システムとは異なり、図４に示したように、一実施形態のＭＩＭＯ通信システムは、再送シーケンス決定部と再送シーケンス通知部とをさらに有する。再送シーケンス決定部は、上記の再送シーケンスの交換処理を行う。再送シーケンス通知部は、再送シーケンス決定部が決定した再送シーケンスを受信器に通知し、受信器が正しいシーケンスでデータを復元できるようにする。
【００２８】
次の表は、水平コーディングＭＩＭＯ通信システムにおいて、従来のＨＡＲＱの場合と本実施形態のＨＡＲＱの場合の再送信方式を比較したものである。Ｔｘ１とＴｘ２はそれぞれ異なる送信アンテナを表す。
【表１】
2009219116.tif 000003
【００２９】
本実施形態のＨＡＲＱの再送信方式によると、同じデータブロックの送信と再送信とが経験する空間フェージングチャネルは異なり、送信シーケンスを交換することにより、再送により得られる時間ダイバーシティゲインに加えて、空間ダイバーシティゲインを追加的に得ることができる。これにより、送信の成功確率が高くなる。従来の方式では同じブロックを同じアンテナで再送信していたが、再送信により空間ダイバーシティゲインを得ることはできず、送信の成功確率は限られていた。
【００３０】
また、本実施形態のＭＩＭＯ通信システムにおいては、再送シーケンス決定部は、送信器と受信器が共に知っている所定の方法で再送シーケンスを交換できる。この場合、送信シーケンスを変更したとき、送信器は、再送シーケンス通知部を介して受信器にシンボルを送信して、送信シーケンスを変更したことを通知するだけでよい。
【００３１】
また、上記の本実施形態のＭＩＭＯ通信システムにおいては、データストリームのＦＥＣ・変調部の符号化及び変調方式は同じでもよいし、データストリームごとに異なっていてもよい。好ましくは、ＦＥＣ・変調部に異なる符号化及び変調方式を適用して、再送信品質をさらに改善する。データストリームごとに相異なる符号化及び変調方式を適用した場合、あるデータストリームの送信アンテナを変更したとき、その時の送信アンテナのチャネル品質に合わせるために、符号化及び変調方式とデータブロックサイズが適応的に（adaptively）変更される。さらに、閉ループＭＩＭＯシステムを使った場合、ＭＩＭＯプリコーディングベクトル（MIMO  pre-coding  vectors）（行列）を調節してその時のチャネル状態に合わせる。
【００３２】
また、本実施形態のＭＩＭＯ−ＨＡＲＱ通信システムを、異なる通信環境に適用するため、ＯＦＤＭ送信モードまたはシングルキャリア送信モードと組み合わせることもできる。
【００３３】
また、上記の実施形態のＭＩＭＯ−ＨＡＲＱ通信システムは、受信データブロックにエラーがあるかどうかをＡＣＫまたはＮＡＣＫでフィードバックできるだけでなく、プリコーディングベクトル（行列）インデックスまたは数量化チャネル情報をフィードバックして、各データストリームのプリコーディングを命令できる。従って、各送信アンテナについてプリコーディング重みを得ることができる。
【００３４】
また、本実施形態のＭＩＭＯ−ＨＡＲＱ通信システムでは、データストリームと送信アンテナ間のマッピング関係を送信要求条件に基づき決定できる。
【００３５】
また、また、上記の本実施形態のＭＩＭＯ−ＨＡＲＱ通信システムでは、受信器に２つ以上の送信アンテナがあってもよく、これに対応して２つ以上のデータストリームがあってもよい。受信器において受信データブロックにエラーが見つかったとき、再送シーケンス決定部は送信アンテナにおける送信シーケンスを巡回的に交換する。例えば、データブロック１を送信アンテナ１で送信し受信器で検出しＮＡＣＫがフィードバックされた場合、データブロック１を送信アンテナ２で再送信する。データブロック２を送信アンテナ２で送信し受信器で検出しＮＡＣＫがフィードバックされた場合、データブロック２を送信アンテナ３で再送信する。または、ＡＣＫがフィードバックされた場合、新しいデータブロック２を生成して送信アンテナ３で送信する。これとのアナロジーで、最後のデータブロックＮでエラーが見つかった場合、そのデータブロックＮを送信アンテナ１で再送信する。そのデータブロックＮが正しく受信された場合、新しいデータブロックＮを送信アンテナ１で送信する。しかし、本実施形態は、上記の交換送信モードに限定されない。再送／生成されるデータブロックと送信アンテナとの間のマッピング関係を、元の送信アンテナ以外のアンテナで、受信時にエラーが検出されたデータブロックを再送信することにより構成できる。
【００３６】
留意すべき点として、本実施形態は、上記のＨＡＲＱ方法を実行するコンピュータプログラムや、そのコンピュータプログラムを記憶したコンピュータ読み取り可能記録媒体にも適用できる。コンピュータ読み取り可能記録媒体には、コンピュータが読み取ることができるフレキシブルディスク、ハードディスク、半導体メモリー、ＣＤ−ＲＯＭ、ＤＶＤ、光磁気（ＭＯ）ディスクその他の媒体が含まれ得る。
【００３７】
好ましい実施形態を用いて例示したが、当業者は、特許請求の範囲に記載した範囲を逸脱することなく、本開示に基づき様々な変更や修正をすることができる。上記の実施形態の説明は単なる例であり、特許請求の範囲及びその均等の範囲を限定するものではない。
【図１】
2009219116.tif 000004
【図２】
2009219116.tif 000005
【図３】
2009219116.tif 000006
【図４】
2009219116.tif 000007